(57)【特許請求の範囲】
【請求項１】
電気手術装置であって、
処置を行うのに必要な電源を生成して処置部に供給するための電源生成手段と、
第１の波形信号を生成して出力する第１の波形生成手段と、
前記第１の波形信号に関連する第２の波形信号を生成して出力する第２の波形生成手段と、
前記第２の波形生成手段から出力される前記第２の波形信号を用いて、前記第１の波形信号の異常を検出する波形異常検出手段と、
前記第１の波形信号の異常が検出されたときに、前記電源生成手段から前記処置部に供給される電源を制御する電源供給制御手段と、
を具備することを特徴する電気手術装置。
【請求項２】
電気手術装置であって、
処置を行うのに必要な電源を生成して処置部に供給するための電源生成手段と、
第１の波形信号を生成して出力する第１の波形生成手段と、
前記第１の波形生成手段から出力される前記第１の波形信号の立ち上がりを検出する立ち上がり検出手段と、
前記立ち上がり検出手段から出力される立ち上がり信号に基づいて、第２の波形信号を生成する第２の波形生成手段と、
前記第２の波形生成手段から出力される前記第２の波形信号に基づいて、前記第１の波形生成手段から出力される前記第１の波形信号の異常を検出する波形異常検出手段と、
前記第１の波形信号の異常が検出されたときに、前記電源生成手段から前記処置部に供給される電源を制御する電源供給制御手段と、
を具備することを特徴する電気手術装置。
【請求項３】
電気手術装置であって、
処置を行うのに必要な電源を生成して処置部に供給するための電源生成手段と、
所定の基準信号を生成する基準信号生成手段と、
前記基準信号生成手段から出力される基準信号のＮ倍の電圧を生成する電圧生成手段と、
前記電圧生成手段から出力されたＮ倍の電圧を分圧する分圧手段と、
前記基準信号生成手段から出力された基準信号に対する、前記分圧手段から出力された分圧信号の偏差が、所定の範囲に入っているか否かを検出する範囲検出手段と、
前記分圧手段から出力された分圧信号の偏差が所定の範囲に入っていないことが検出されたときに、前記電源生成手段から前記処置部に供給される電源を制御する電源供給制御手段と、
を具備することを特徴とする電気手術装置。
【発明の詳細な説明】
【０００１】
【産業上の利用分野】
本発明はいわゆる電気メス等によって生体組織を切開、及び止血凝固する電気手術装置に関する。
【０００２】
【従来の技術】
近年、高周波（数百ｋＨｚ）でかつ高電圧（数百〜数千Ｖ）を応用した電気メス等の電気手術装置が外科手術等に広範に使用されている。このような電気手術装置による手術においてはその安全性が特に重要である。
【０００３】
電気メスを使用した電気手術装置は手術にあたって連続波、混合波、バースト波といった様々な高周波信号波形を使用する。これらの高周波信号波形は概して記憶デバイス等にあらかじめ記憶されており、必要に応じて特定の波形が取り出されて使用される。あるいは、高周波信号波形は源発振信号に基づいて分周手段やカウンター及び乗算手段によって生成される。また、上記の方法を組み合わせることによって高周波信号波形を生成できることは言うまでもない。
【０００４】
【発明が解決しようとする課題】
しかしながら、上記した従来の電気手術装置においては、実際の電気メスによる高周波信号の出力時に、処置のための高周波電圧や高周波信号が所望の波形で出力されているかどうかを検知していなかった為、処置に対する過不足つまり焼け過ぎたり切れなかったりという事が手術中に起こる場合があり、所望の手術を行えない場合があった。
【０００５】
本発明の電気手術装置はこのような課題に着目してなされたものであり、その目的とするところは、波形発生手段によって生成された波形を監視する事により、波形発生手段の故障や誤動作による不用意な出力を防止して手術中の安全性を向上した電気手術装置を提供することにある。
【０００６】
【課題を解決するための手段】
上記した目的を達成するために、本発明の第１の態様は、電気手術装置であって、処置を行うのに必要な電源を生成して処置部に供給するための電源生成手段と、第１の波形信号を生成して出力する第１の波形生成手段と、前記第１の波形信号に関連する第２の波形信号を生成して出力する第２の波形生成手段と、前記第２の波形生成手段から出力される前記第２の波形信号を用いて、前記第１の波形信号の異常を検出する波形異常検出手段と、前記第１の波形信号の異常が検出されたときに、前記電源生成手段から前記処置部に供給される電源を制御する電源供給制御手段と、を具備する。
また、本発明の第２の態様は、電気手術装置であって、処置を行うのに必要な電源を生成して処置部に供給するための電源生成手段と、第１の波形信号を生成して出力する第１の波形生成手段と、前記第１の波形生成手段から出力される前記第１の波形信号の立ち上がりを検出する立ち上がり検出手段と、前記立ち上がり検出手段から出力される立ち上がり信号に基づいて、第２の波形信号を生成する第２の波形生成手段と、前記第２の波形生成手段から出力される前記第２の波形信号に基づいて、前記第１の波形生成手段から出力される前記第１の波形信号の異常を検出する波形異常検出手段と、前記第１の波形信号の異常が検出されたときに、前記電源生成手段から前記処置部に供給される電源を制御する電源供給制御手段と、を具備する。
また、本発明の第３の態様は、電気手術装置であって、処置を行うのに必要な電源を生成して処置部に供給するための電源生成手段と、所定の基準信号を生成する基準信号生成手段と、前記基準信号生成手段から出力される基準信号のＮ倍の電圧を生成する電圧生成手段と、前記電圧生成手段から出力されたＮ倍の電圧を分圧する分圧手段と、前記基準信号生成手段から出力された基準信号に対する、前記分圧手段から出力された分圧信号の偏差が、所定の範囲に入っているか否かを検出する範囲検出手段と、前記分圧手段から出力された分圧信号の偏差が所定の範囲に入っていないことが検出されたときに、前記電源生成手段から前記処置部に供給される電源を制御する電源供給制御手段と、を具備する。
【０００７】
【作用】
すなわち、本発明の電気手術装置は、波形発生手段によって発生された高周波信号波形を検知し、この検知の結果に応じて前記波形発生手段からの高周波信号出力を制御するようにする。
【０００８】
【実施例】
以下、図面を参照して本発明の実施例を詳細に説明する。
図１は本発明の第１実施例の構成を示す図である。外部構成として、電気メス装置本体１には、当該装置本体１に電源を供給する電源コード２と、電気メス装置本体１より出力される高周波信号に基づいて患者に処置を行う電気メスハンドピース３と、対極板４とが接続されている。
【０００９】
以下に、電気手術装置本体１の内部構成を説明する。以下に述べる各手段の制御を行なうための制御手段９はＣＰＵ手段２２を含んでいる。波形生成を行なうための波形発生手段１２は、源発振手段１３により生成される源発振信号を分周手段１４でｎ分周し、ＣＰＵ手段２２により制御されたカウンタ手段１６により再分周する。乗算手段１８はカウンタ手段１６により生成された分周波を乗算し様々な波形を生成する。さらにＣＰＵ手段２２により制御された波形選択手段２０により乗算手段１８で生成された波形を選択する。又、波形発生手段１２では上記と同一の動作を分周手段１５、カウンタ手段１７、乗算手段１９、波形選択手段２１でも行なっている。
【００１０】
また、電源手段５は電源コード２により供給された商用電源よりＤＣ電圧を生成し、フィルタ手段６、及びスイッチ手段７へ供給している。前記ＤＣ電圧は出力トランス手段８及びパワーアンプ手段１１に印加される。パワーアンプ手段１１は波形選択手段２０により選択された波形によりスイッチング増幅を行なっている。ＥＸＯＲ回路２３から構成される検知手段１０は波形発生手段１２によって生成された２つの波形を論理演算し、その結果を制御手段９に送っている。
【００１１】
以下に上記した第１実施例の構成の作用を説明する。
波形発生手段１２において、源発振手段１３、分周手段１４、カウンタ手段１６、乗算手段１８、波形選択手段２０によりある波形が生成されるが、ここではこの波形を波形１とする。又、源発振手段１３、分周手段１５、カウンタ手段１７、乗算手段１９、波形選択手段２１によりある波形が生成されるが、ここではこの波形を波形２とする。
【００１２】
図５は、上記した波形１、波形２及び、ＥＸＯＲ回路２３からの出力であるＥＸＯＲ−ＯＵＴの波形を示しており、“Ｈ”で正常、“Ｌ”で異常とする。図５の場合、波形１と波形２が同一の波形である事により、ＥＸＯＲ−ＯＵＴは、“Ｈ”となっており、正常であると判断される。
【００１３】
ここで分周手段１４、カウンタ手段１６、乗算手段１８、波形選択手段２０の少なくとも一手段が故障した場合は、図６に示すように、波形１が波形３として示すような意図しない波形に変形されて出力される場合がある。このときのＥＸＯＲ−ＯＵＴは図６に示すようになる。すなわち、波形２と波形３が同じ波形である所に関してはＥＸＯＲ−ＯＵＴが“Ｈ”を示しているのに対し、波形２と波形３が異なっている所に関しては、ＥＸＯＲ−ＯＵＴが“Ｌ”つまり異常と検知される。このＥＸＯＲ回路２３の出力結果は制御手段９に伝送され、制御手段９によりスイッチ手段７を制御して出力を停止させる。ここで、電源手段５を制御する事により出力を停止する事も出来る。又、波形発生手段１２を制御する事により出力を停止する事も可能である。
【００１４】
上記した第１実施例によれば、波形発生手段１２の少なくとも一手段が故障及び誤動作を起こし、意図しない波形が出力トランス手段及びパワーアンプ手段に伝送されて高周波出力されてしまうのを防止する事が出来る。
以下に本発明の第２実施例を説明する。
【００１５】
図２は本発明の第２実施例の構成を示す図である。電気手術装置本体１の外部構成は第１実施例と同様である。
以下に内部構成について説明する。各手段の制御を行なうための制御手段９はＣＰＵ手段２２を具備している。波形発生手段１２は源発振手段１３、分周手段１４、乗算手段１８を具備し、源発振手段１３により生成された源発振信号は分周手段１４によりｎ分周された後、乗算手段１８によりＣＰＵ手段２２から伝送された波形と乗算される。
【００１６】
電源手段５で生成されたＤＣ電圧はフィルタ手段６、及びスイッチ手段７を介して出力トランス手段８、及びパワーアンプ手段１１に印加される。パワーアンプ手段１１は、波形発生手段１２により生成された波形を受けてスイッチング増幅を行なっている。検知手段１０は立ち上がり検出手段２４と、一定時間出力結果を保持する、ラッチ手段２５とを具備する。
【００１７】
ＣＰＵ手段２２により乗算手段１８に入力される波形信号は立ち上がり検出手段２４にも入力されてその立ち上がりが検出され、検出した結果を用いてラッチ手段２５を制御する。そしてＣＰＵ手段２２が波形を伝送し始めた後のラッチ手段２５の出力状態をＣＰＵ手段２２に伝送する。
【００１８】
以下に上記した第２実施例の構成の作用を説明する。ＣＰＵ手段２２により乗算手段１８、及び立ち上がり検出手段２４に入力される波形を波形４とする。又立ち上がり検出手段２４からラッチ手段２５に入力される波形を波形５とする。ラッチ手段２５よりＣＰＵ手段２２に入力される波形を波形６とする。
【００１９】
図７、図８、図９は波形４が連続波、バースト波、混合波という３種類の波形をとったときの波形５、及び波形６を各々示している。図７の場合、波形４の入力により立ち上がり検出手段２４は１波だけ立ち上がった波形である波形５を出力する。ラッチ手段２５は、波形５の立ち上がりを受け一定時間ｔ1 だけ“Ｈ”となる波形を出力するという一連の動作を行なっている。
【００２０】
また、図８の場合は、上記と同様に波形４の入力により立ち上がり検出手段２４は連続的に立ち上がった波形である波形５を出力する。この場合、ラッチ手段２５は波形５の立ち上がりを受けて一定時間ｔ1 だけ“Ｈ”の出力をして“Ｌ”になろうとするが、ｔ2 後に次の立ち上がりが入力されるのでその時点から再びｔ1 だけ“Ｈ”となる。この動作が連続的に繰返される為、ラッチ手段２５は一端“Ｈ”になると結果的に“Ｈ”になったままである。
【００２１】
図９に示す混合波も上記と同様の動作をするが、立ち上がり検出手段２４の出力である波形５は３波目からｔ1 以内に次の立ち上がりがないため最終的にラッチ手段２５の出力である波形６は“Ｈ”を維持出来ずに“Ｌ”になる。
【００２２】
ここでラッチ手段２５の出力波形である波形６を図７、図８、図９で比較すると、ＣＰＵ手段２２より波形４を出力してからＴ1 後の判断点Ａ、及びＴ2 後の判断点Ｂはそれぞれの図において異なっていることがわかる。したがって、波形６の判断点Ａと判断点ＢをＣＰＵ手段２２で検出すれば意図している波形の種類であるかどうかが判断できる。そして異常であった場合には制御手段９によりスイッチ手段７を制御する事で出力を停止する。
【００２３】
上記した第２実施例によれば、波形発生手段１２で回路の２重化を行なわなくても波形の監視が出来、実装部品の軽減になる。
以下に本発明の第３実施例を説明する。
【００２４】
図３は第３実施例の構成を示す図である。電気手術装置本体１の外部構成は第１実施例と同様である。
以下に内部構成について説明する。制御手段９は、ＣＰＵ手段２２とＤ／Ａ変換手段２６とを具備しており、ＣＰＵ手段２２により伝送されるデジタル信号はＤ／Ａ変換手段２６でアナログ変換される。Ｄ／Ａ変換手段２６は電源手段５に接続されており、この電源手段５は、Ｄ／Ａ変換手段２６から入力されるアナログ信号に対してＮ倍のＤＣ電圧を生成する。ここでＤ／Ａ変換手段２６は複数個の回路で構成されていても良い。
【００２５】
また、検知手段１０はウインドコンパレート手段２７及び分圧手段２８とを具備しており、電源手段５からのＤＣ電圧はフィルタ手段６及びスイッチ手段７を介して分圧手段２８に伝送されて１／Ｎに分圧される。ウインドコンパレート手段２７への２入力のうち一方はＤ／Ａ変換手段２６から入力され、他方は分圧手段２８によって１／Ｎ分圧された電圧が入力される。
【００２６】
以下に上記した第３実施例の構成の作用を説明する。
Ｄ／Ａ変換手段２６の出力は２つの手段に接続されており、一方は電源手段５である。ここで、Ｄ／Ａ変換手段２６から出力されるアナログ信号がＸ[V] であったとすると、電源手段５はＮ倍のＤＣ電圧を生成してフィルタ手段６、及びスイッチ手段７を介して出力トランス手段８、及びパワーアンプ手段１１にこのＤＣ電圧を印加する。このＤＣ電圧は分圧手段２８にも印加されて１／Ｎに分圧された後に、ウインドコンパレート手段２７の一方の入力に入力される。この電圧をＣ[V] とする。
【００２７】
又、Ｄ／Ａ変換手段２６のもう一方の出力は直接、ウインドコンパレート手段２７に入力される。その電圧をＤ[V] とする。ここで電源手段５の誤差係数をα、分圧手段２８の誤差係数をβとすると以下の式が成立する。
【００２８】
Ｃ＝Ｘ・Ｎ・α・（１／Ｎ）・β＝α・β・Ｘ
Ｄ＝Ｘ
ここで、ウインドコンパレート手段２７はＣ及びＤをある範囲を持って比較しており、ある範囲とは例えばＤを基準として偏差が±２０％の範囲に入っているかどうかという意味である。本実施例では、偏差が±２０％以上の値になった場合には異常と判断されて制御手段９へ伝送され、スイッチ手段７を制御する事により出力を停止させる。
【００２９】
上記した第３実施例によれば、所望の出力に対する電源手段５からのＤＣ出力の偏差が所定の範囲より大きいかどうかを監視して、異常であった場合には高周波出力を停止するようにしている。したがって、電源手段５から分圧手段２８に至るまでの各手段の故障、及び誤動作を簡単な構成で検知することができる。又、Ｄ／Ａ変換手段２６においてＤ／Ａコンバータを２重化しアナログ信号を独立させ、電源手段５、及びウインドコンパレート手段２７に入力する事でＤ／Ａ変換手段２６の故障、及び誤動作をも検知することができる。
【００３０】
以下に本発明の第４実施例を説明する。
図４は第４実施例の構成を示す図である。電気手術装置本体１の外部構成は第１実施例と同様である。
【００３１】
以下に内部構成について説明する。制御手段９はＣＰＵ手段２２とＤ／Ａ変換手段２６とを具備している。ＣＰＵ手段２２により入力されるデジタル信号はＤ／Ａ変換手段２６を介してアナログ信号となり電源手段５へ伝送される。電源手段５は、Ｄ／Ａ変換手段２６から出力されたアナログ信号のＮ倍のＤＣ電圧を生成する。
【００３２】
検知手段１０はＡ／Ｄ変換手段２９、及び分圧手段２８を具備している。電源手段５によって生成されたＤＣ電圧はフィルタ手段６、及びスイッチ手段７を介して分圧手段２８に入力されて１／Ｎに分圧される。１／Ｎに分圧された電圧はＡ／Ｄ変換手段２９に入力されてデジタル信号に変換され、制御手段９に伝送される。
【００３３】
以下に上記した第４実施例の構成の作用を説明する。
Ｄ／Ａ変換手段２６の出力であるアナログ信号がＥ[V] となる様なデジタル信号Ｆ（Ｅ）がＣＰＵ手段２２から伝送されたとすると、電源手段５はＥ[V] のＮ倍のＤＣ電圧を生成して、このＤＣ電圧をフィルタ手段６、スイッチ手段７を介して出力トランス手段８、パワーアンプ手段１１、及び分圧手段２８に供給する。分圧手段２８では入力されたＤＣ電圧が１／Ｎに分圧され、その後Ａ／Ｄ変換手段２９でデジタル変換される。ここでＡ／Ｄ変換手段２９に入力されるアナログ信号をＧとする。又、電源手段５での誤差係数をα、分圧手段２８の誤差係数をβとすると、以下の式が成立する。
【００３４】
Ｇ＝Ｅ・Ｎ・α・（１／Ｎ）・β＝α・β・Ｅ
つまり、Ｆ（Ｅ）としてＣＰＵ手段２２から出力されたデジタル信号は各手段を介してα・β・Ｅというアナログ信号になってＡ／Ｄ変換手段２９に入力される。Ａ／Ｄ変換手段２９ではＦ（α・β・Ｅ）というデジタル信号をＣＰＵ手段２２に伝送する。ＣＰＵ手段２２はＦ（Ｅ）とＦ（α・β・Ｅ）を演算比較する事により、Ｆ（Ｅ）に対してＦ（α・β・Ｅ）が所定の範囲内にあるかどうか、例えば偏差が±２０％以内かどうかを判断して、範囲外にある場合には制御手段９によりスイッチ手段７を制御して出力を停止する。
【００３５】
上記した第４実施例によれば、Ｆ（Ｅ）とＦ（α・β・Ｅ）という２つのデジタル信号を比較演算させる範囲を広げたり狭める事がプログラムを変更することで容易に実現出来る。又、電気メス装置では様々な波形で高周波出力する事は周知であるが、各波形ごとに範囲を変えたい場合にも回路を増設する事なく実現する事が出来る。
【００３６】
上記した具体的実施例から以下のような構成の技術的思想が導き出される。
（１）  電気手術装置において、
高周波信号波形を発生して出力する波形発生手段と、
この波形発生手段によって発生された前記高周波信号波形を検知する検知手段と、
この検知手段による検知の結果に応じて前記波形発生手段からの高周波信号出力を制御する制御手段と、
を具備したことを特徴とする電気手術装置。
（２）  上記波形発生手段は少なくとも２重以上の回路構成を有する構成（１）に記載の電気手術装置。
（３）  上記検知手段は、上記２重以上の回路からの出力の間で論理演算を行なう論理演算手段である構成（２）に記載の電気手術装置。
（４）  上記検知手段は、
上記波形発生手段によって発生される信号波形の立ち上がりを検出する立ち上がり検出手段と、
この立ち上がり検出手段によりセットされ、一定時間論理を保持するラッチ手段と、
を含む構成（１）に記載の電気手術装置。
（５）  高周波エネルギーを発生させる為に必要な電圧を発生する電源手段と、この電源手段によって発生された電圧を高周波エネルギーにして増幅するアンプ手段と、を具備する電気手術装置において、
前記アンプ手段に印加されている電圧の大きさを検知する検知手段と、
この検知手段による検知の結果に応じて高周波信号発生手段からの高周波出力を制御する制御手段と、
を具備する電気手術装置。
（６）  上記検知手段は、前記電源手段からの出力電圧と、前記制御手段からの出力とを比較する比較手段である構成（５）に記載の電気手術装置。
（７）  上記検知手段は、前記電源手段からの出力電圧をＡ／Ｄ変換するＡ／Ｄ変換手段である構成（５）に記載の電気手術装置。
【００３７】
上記した構成（１）乃至（４）に対する従来の技術、発明が解決しようする課題は以下の通りである。
（従来の技術）
近年、高周波（数百ｋＨｚ）でかつ高電圧（数百〜数千Ｖ）を応用した電気手術装置が外科手術等に広範に使用されている。このような電気手術装置による手術においてはその安全性が特に重要である。
【００３８】
電気メスを使用した電気手術装置は手術にあたって連続波、混合波、バースト波といった様々な高周波信号波形を使用する。これらの高周波信号波形は概して記憶デバイス等にあらかじめ記憶されており、必要に応じて特定の波形が取り出されて使用される。あるいは、高周波信号波形は源発振信号に基づいて分周手段やカウンター及び乗算手段によって生成される。また、上記の方法を組み合わせることによって高周波信号波形を生成できることは言うまでもない。
（発明が解決しようとする課題）
しかしながら、上記した従来の電気手術装置においては、実際の電気メスによる高周波出力時に、処置のための高周波電圧や高周波が所望の波形で出力されているかどうかを検知していなかった為、処置に対する過不足つまり焼け過ぎたり切れなかったりという事が手術中に起こる場合があり、所望の手術を行えない場合があった。
【００３９】
本発明の電気手術装置はこのような課題に着目してなされたものであり、その目的とするところは、波形発生手段によって生成された波形を監視する事により、波形発生手段の故障や誤動作による不用意な出力を防止して手術中の安全性を向上した電気手術装置を提供することにある。
【００４０】
また、上記した構成（５）乃至（７）に対する従来の技術、発明が解決しようする課題は以下の通りである。
（従来の技術）
近年、高周波（数百ｋＨｚ）でかつ高電圧（数百〜数千Ｖ）を応用した電気手術装置が外科手術等に広範に使用されている。このような電気手術装置による手術においてはその安全性が特に重要である。
【００４１】
電気メスを使用した電気手術装置は概して連続波、混合波、バースト波といった様々な高周波波形を１つの装置で出力する。
又、上記の様に電気メスは高電圧で使用される装置であり、この点を考慮して切開能や凝固能を向上させて来たが、高周波出力が所望の電力で出力されているかどうかを検知するには、高周波出力（数百〜数千Ｖ）を絶縁手段で分離しそこで得られた結果を検知する方法が用いられていた。
（発明が解決しようとする課題）
しかしながら、上記した従来の電気手術装置は、高周波出力に関しては、実出力を絶縁手段を介して検知している為、ノイズに弱かったり装置が大がかりになってしまうという欠点があった。
【００４２】
本発明の電気手術装置はこのような課題に着目してなされたものであり、その目的とするところは、電気手術装置の高周波高電圧出力を直接検知せずに高周波出力の偏差を求めることによって、簡単な構成で手術中の安全性を向上した電気手術装置を提供することにある。
【００４３】
【発明の効果】
本発明によれば、波形発生手段によって生成された波形を監視するようにしたので、波形発生手段の故障や誤動作による不用意な出力を防止して手術中の安全性を向上することができる。
【図面の簡単な説明】
【図１】本発明の第１実施例の構成を示す図である。
【図２】本発明の第２実施例の構成を示す図である。
【図３】本発明の第３実施例の構成を示す図である。
【図４】本発明の第４実施例の構成を示す図である。
【図５】第１実施例において、波形発生手段からの２つの波形と、ＥＸＯＲ回路からの出力波形の第１の例を示す図である。
【図６】第１実施例において、第１実施例の動作を波形発生手段からの２つの波形と、ＥＸＯＲ回路からの出力波形の第２の例を示す図である。
【図７】第２実施例において、制御手段からの出力が連続波であるときの立ち上がり検出手段と検知手段の出力波形を示す図である。
【図８】第２実施例において、制御手段からの出力がバースト波であるときの立ち上がり検出手段と検知手段の出力波形を示す図である。
【図９】第２実施例において、制御手段からの出力が混合波であるときの立ち上がり検出手段と検知手段の出力波形を示す図である。
【符号の説明】
１…電気メス装置本体、２…電源コード、３…電気メスハンドピース、４…対極板、５…電源手段、６…フィルタ手段、７…スイッチ手段、８…出力トランス手段、９…制御手段、１０…検知手段、１１…パワーアンプ手段、１２…波形発生手段、１３…源発振手段、１４、１５…分周手段、１６、１７…カウンタ手段、１８、１９…乗算手段、２０、２１…波形選択手段、２２…ＣＰＵ手段、２３…ＥＸＯＲ回路。
【図１】
0003720413.tif 000002
【図２】
0003720413.tif 000003
【図３】
0003720413.tif 000004
【図４】
0003720413.tif 000005
【図５】
0003720413.tif 000006
【図６】
0003720413.tif 000007
【図７】
0003720413.tif 000008
【図８】
0003720413.tif 000009
【図９】
0003720413.tif 000010